(57)【要約】【課題】  湿気や自重等の影響による固まりを一部に含む粉状又は顆粒状の内容物を揉み解すことにより、内容物をスムーズに振り出せるようにした振り出し容器を創出することを課題とする。【解決手段】  口筒部１１を備えると共に底部１４が内方及び外方に向かって変形可能な有底筒状の容器本体１０と、内容物を振り出す複数の振り出し孔２４を有して口筒部１１に冠着されるキャップ２０とを備える振り出し容器であって、容器本体１０内に、口筒部１１と底部１４との間に立設されると共に、底部１４の変形に連動して撓み変形可能に設けられて内容物を揉み解すほぐし部３０が設けられた構成とする。【選択図】  図２
2020019492.tif 000002
【特許請求の範囲】
【請求項１】
口筒部（１１）を備えると共に底部（１４）が内方及び外方に向かって変形可能な有底筒状の容器本体（１０）と、内容物を振り出す複数の振り出し孔（２４）を有して前記口筒部（１１）に冠着されるキャップ（２０）とを備える振り出し容器であって、
前記容器本体（１０）内に、前記口筒部（１１）と前記底部（１４）との間に立設されると共に、前記底部（１４）の変形に連動して撓み変形可能に設けられて前記内容物を揉み解すほぐし部（３０）が設けられていることを特徴とする振り出し容器。
【請求項２】
ほぐし部（３０）は、弾性変形可能な複数の柱部（３３）が並設されて成るカゴ状部材（３１）で構成されている請求項１記載の振り出し容器。
【請求項３】
ほぐし部（３０）では、容器軸（Ｏ）に近づく内径方向に撓み変形させた柱部（３３ａ）と、前記容器軸（Ｏ）から離れる外径方向に撓み変形させた柱部（３３ｂ）とが周方向に交互に配置されている請求項２記載の振り出し容器。
【請求項４】
容器軸（Ｏ）を挟んで軸対称となる両位置の一方に容器軸（Ｏ）に近づく内径方向に撓み変形可能な柱部（３３ａ）が配置され、他方に前記容器軸（Ｏ）から離れる外径方向に撓み変形可能な柱部（３３ｂ）が配置されている請求項２又は３に記載の振り出し容器。
【請求項５】
容器軸（Ｏ）を挟んで軸対称となる両位置に、容器軸（Ｏ）から離れる外径方向に撓み変形可能な柱部（３３ｂ）を有する請求項２又は３に記載の振り出し容器。
【請求項６】
底部（１４）は、外縁部側に断面視略Ｕ字形状に設けられた接地部（１５）と、中央に容器本体（１０）の内方に向かって凸状に陥没設された陥没部（１６）と、前記接地部（１５）と前記陥没部（１６）との間に上下動可能に配設された弾性変形部（１７）とを有して構成され、ほぐし部（３０）が前記陥没部（１６）の上端によって容器本体（１０）の内方に向けて押圧された状態に設定されている請求項１乃至５のいずれか一項に記載の振り出し容器。
【請求項７】
ほぐし部（３０）に、陥没部（１６）を包囲する囲繞部（３５）が設けられている請求項６記載の振り出し容器。
【請求項８】
弾性変形部（１７）が、同心円状に配置された複数の凹凸（１７ａ）により形成されている請求項６又は７記載の振り出し容器。
【発明の詳細な説明】
【技術分野】
【０００１】
本発明は、粉体状又は顆粒状の内容物が塊状に固まる場合があっても、塊状の固まり容易に解して内容物をスムーズに振り出せるようにした振り出し容器に関する。
【背景技術】
【０００２】
特許文献１に記載の振り出し容器は、上端を開口した有底筒状の容器本体２と、この容器本体２の上端を閉塞する頂壁８に内容物を振り出すための複数の振り出し孔９及びこの振り出し孔９を開閉自在に閉塞する蓋板４を備えたキャップ本体３とを有して構成され、容器倒立状態で容器を振り出すことにより振り出し孔より内容物が振り出されるというものである。
この振り出し容器では、キャップ本体３の頂壁８下面に複数の突起５が一体に垂設されており、粉体状又は顆粒状の内容物が塊状に固まる等の不都合が生じた場合もこの突起５で内容物を粉砕することにより、スムーズな振り出しを行えるようになっている。
【先行技術文献】
【特許文献】
【０００３】
【特許文献１】特開平８−９１４０５号公報
【発明の概要】
【発明が解決しようとする課題】
【０００４】
しかし、一つの吐出口から内容物を吐出させるタイプの吐出容器の場合にあっては、その構造上頂壁に突起を設けることができないため、例えば湿気等の影響により塊状に固まった塊状の内容物が吐出口に詰まり、スムーズな吐出が阻害されるという問題がある。
また内容物が粒度の細かい粉体の場合においては、自重によって容器の底部近傍において部分的な固まりが生じやすいところ、振り出し自体を大きく振ったところでキャップ本体の頂壁側に設けた突起によって底部側の固まりを消滅させることは困難であり、結果として粉状の内容物のスムーズな振り出しが行われ難いという問題がある。
本発明は、上記した従来技術における問題点を解消すべく、湿気や自重等の影響による固まりを一部に含む粉状又は顆粒状の内容物を揉み解すことにより、内容物をスムーズに振り出せるようにした振り出し容器を創出することを課題とする。
【課題を解決するための手段】
【０００５】
上記課題を解決するための手段のうち、本発明の主たる手段は、
口筒部を備えると共に底部が内方及び外方に向かって変形可能な有底筒状の容器本体と、内容物を振り出す複数の振り出し孔を有して口筒部に冠着されるキャップとを備える振り出し容器であって、
容器本体内に、口筒部と底部との間に立設されると共に、底部の変形に連動して撓み変形可能に設けられて内容物を揉み解すほぐし部が設けられていることを特徴とする、と云うものである。
【０００６】
本発明の主たる手段では、容器本体の底部に対して押込み操作及びその解除操作を行って底部を上下に変位させると、これに連動して容器本体内においてほぐし部が変形することから、容器本体内において生じている内容物の固まりを揉み解して消滅させ、元の細かい粉体からなる内容物に戻すことができる。
【０００７】
また本発明の他の手段は、主たる手段に、ほぐし部は、弾性変形可能な複数の柱が並設されて成るカゴ状部材で構成されている、との手段を加えたものである。
【０００８】
上記手段では、ほぐし部を構成するカゴ状部材の複数の柱部を内径方向及び外径方向に撓み変形させることが可能とるため、ほぐし部内の固まりは勿論のこと、容器本体とほぐし部と間に生じた内容物の固まりをも揉み解すことを達成し得る。
【０００９】
また本発明の他の手段は、上記いずれかの手段に、ほぐし部では、容器軸に近づく内径方向に撓み変形させた柱部と、容器軸から離れる外径方向に撓み変形させた柱部とが周方向に交互に配置されている、との手段を加えたものである。
【００１０】
上記手段では、隣接する柱部間において、各柱部が撓み変形する方向を互いに逆方向とすることができるため、内容物の固まりを効率良く揉み解すことを達成し得る。
【００１１】
また本発明の他の手段は、上記いずれかの手段に、容器軸を挟んで軸対称となる両位置の一方に容器軸近づく内径方向に撓み変形可能な柱部が配置され、他方に容器軸から離れる外径方向に撓み変形可能な柱部が配置されている、との手段を加えたものである。
【００１２】
上記手段では、容器軸を挟んで軸対称となる両位置において、各柱部が撓み変形する方向を互いに逆方向とすることができるため、内容物の固まりを効率良く揉み解すことを達成し得る。
【００１３】
また本発明の他の手段は、上記いずれかの手段に、容器軸を挟んで軸対称となる両位置に、容器軸から離れる外径方向に撓み変形可能な柱部を有する、との手段を加えたものである。
【００１４】
上記手段では、容器軸を挟んで軸対称となる両位置において、各柱部が撓み変形する方向を同じ逆方向とすることができるため、特にほぐし部内に生じている内容物の固まりを効率良く揉み解すことを達成し得る。
【００１５】
また本発明の他の手段は、上記いずれかの手段に、底部は、外縁部側に断面視略Ｕ字形状に設けられた接地部と、中央に容器本体の内方に向かって凸状に陥没設された陥没部と、接地部と陥没部との間に上下動可能に配設された弾性変形部とを有して構成され、ほぐし部が陥没部の上端によって容器本体の内方に向けて押圧された状態に設定されている、との手段を加えたものである。
【００１６】
上記手段では、柱部が撓み変形する方向を予め設定することができると共に、底部を容易に上下方向に弾性変形させることにより、ほぐし部を構成する柱部を容易に撓み変形させることが可能とすることができる。
【００１７】
また本発明の他の手段は、上記手段に、ほぐし部に、陥没部を包囲する囲繞部が設けられている、との手段を加えたものである。
【００１８】
上記手段では、操作中にほぐし部の底部から底部側の陥没部が離脱することを防止することができる。
【００１９】
また本発明の他の手段は、上記手段に、弾性変形部が、同心円状に配置された複数の凹凸により形成されている、との手段を加えたものである。
【００２０】
上記手段では、底部の弾性変形を容易とすることが可能となるため、スムーズな振り出し操作を達成し得る。
【発明の効果】
【００２１】
本発明は、内容物が容器本体内で固まる場合があっても、容器本体の底部に対する押込み操作及びその解除動作を繰り返すことにより、容器本体内に設けられたほぐし部が内容物の固まりを揉み解して消滅させることができるため、内容物をスムーズに振り出すことができる。
【図面の簡単な説明】
【００２２】
【図１】本発明の実施の形態として、ほぐし部に第１実施例を用いた振り出し容器を示す断面図である。
【図２】図１において底部を押込んだ状態を示す振り出し容器の断面図である。
【図３】ほぐし部の第２実施例を示す断面図である。
【図４】ほぐし部の第３実施例を示す部分断面図である。
【発明を実施するための形態】
【００２３】
以下、本発明の実施の形態について図面を参照しつつ説明する。
図１は本発明の実施の形態として、ほぐし部に第１実施例を用いた振り出し容器を示す断面図、図２は図１において底部を押込んだ状態を示す振り出し容器の断面図である。図中、白色矢印及び灰色矢印は柱部の撓み変形方向を示しており、白色矢印が容器軸Ｏに近づく内径方向を、灰色矢印が容器軸Ｏから離れる外径方向を示している。
【００２４】
図１及び図２に示すように、本発明の振り出し容器１は、粒度の細かい粉体状又は顆粒状の内容物を収容する容器本体１０と、この容器本体１０の口筒部１１を被嵌して閉塞するキャップ２０及び容器本体１０内にて固まっている内容物の揉み解しを行うほぐし部３０とを有して形成されている。
容器本体１０は、底部１４の上に連設された胴部１３と、この胴部１３の上に縮径状に連設された肩部１２を介して起立設された口筒部１１とを有し、例えばＰＥＴ樹脂などの合成樹脂材料をブロー成形することにより形成された容器であるが、容器本体１０の素材や成形方法はこれに限られるものではない。口筒部１１の外周面には雄ネジ部１１ａが刻設され、底部１４には容器本体１０の内方及び外方に向けて変形可能な弾性変形部１７が設けられている。
【００２５】
より詳しくは、底部１４は最外周側に胴部１３の下端から断面視略Ｕ字形状に連設されて成る接地部１５が形成され、底部１４の中央には容器本体１０の内方に向かって凸状に陥没設された陥没部１６が設けられている。そして、接地部１５の内周端と陥没部１６の外周端との間に、凹凸１７ａを同心円状に配することにより全体として円環状に形成されて成る弾性変形部１７が設けられている。
【００２６】
弾性変形部１７は、接地部１５と連結される外周端を基端として中央部側が内方及び外向に向けて弾性変形できるように構成されており、これにより中央部側に設けられた陥没部１６が上下に変位することが可能となっている。尚、図１に示すように、変形前の初期状態において、底部１４は下方（外方向）側に位置している。
【００２７】
キャップ２０は、キャップ本体２１の上に蓋体２５を備える合成樹脂製の部材である。キャップ本体２１は口筒部１１に冠着する側壁部２２と、この側壁部２２の上端に本体側頂壁部２３とを有して形成されている。側壁部２２の内周面には口筒部１１側の雄ネジ１１ａに螺着可能な雌ネジ２２ａが刻設され、本体側頂壁部２３には複数の貫通孔から形成される振り出し孔２４が穿孔されている。
また蓋体２５は蓋側頂壁部２６の外周部に周壁２７が垂下設された有頂筒状の部材であり、蓋側頂壁部２６の内面には複数の振り出し孔２４に対応して配置され、各振り出し孔２４を閉塞する封止筒部２８が垂下設されている。そして、蓋体２５は薄肉に形成された蝶番部２９を介してキャップ本体２１の上端に開閉自在に設けられている。
【００２８】
ほぐし部３０は、容器本体１０側の口筒部１１の内周面に密着可能な筒状の嵌合部３２と、嵌合部３２の下端から下方に向かって延設されると共に周方向に沿って一定の間隔で配置された複数（本実施例では６本）の弾性変形可能な柱部３３と、この複数の柱部３３の下端に連設された底壁部３４とを有して成る備えるカゴ状部材３１であり、合成樹脂材料によって形成されている。嵌合部３２の上端には断面逆Ｕ字形状に形成され、口筒部１１の上端に係合する係止部３２ａが形成されている。
【００２９】
図１に示すように、ほぐし部３０を容器本体１０内にセットした変形前の初期状態においては、柱部３３は、容器軸Ｏに近づく内径方向に撓み変形させた３本の柱部３３ａと、容器軸Ｏから離れる外径方向に撓み変形させた３本の柱部３３ｂとが周方向に交互に配置されると共に、容器本体１０側の陥没部１６の上端がほぐし部３０であるカゴ状部材３１の底壁部３４の下面を上方に押圧する状態に設定されることで撓み変形させた状態が維持されている。
さらに、ほぐし部３０は、容器軸Ｏに近づく内径方向に撓み変形可能な柱部３３ａと容器軸Ｏから離れる外径方向に撓み変形可能な柱部３３ｂとが、容器軸Ｏを挟んで軸対称となる両位置にそれぞれ配置されている。
【００３０】
次に上記構成からなる振り出し容器１の使用について説明する。
振り出し容器１は、ほぐし部３０であるカゴ状部材３１を容器本体１０内に挿入して口筒部１１に係合させて嵌合保持させた後、容器本体１０内に粉体状又は顆粒状の内容物を充填し、続いてキャップ２０を口筒部１１の周囲に螺合冠着することにより封止される。
【００３１】
振り出し容器１を使用する場合には、キャップ２０の蓋体２５を回動させて開蓋し、複数の振り出し孔２４が形成されている本体側頂壁部２３を露出させる。そして、使用者が振り出し容器１の振り出し孔２４側を下方に向けた倒立傾斜姿勢とした状態で振り出すことにより、振り出し孔２４を介して内容物を振り出すことが可能となる。
【００３２】
次に、湿気や自重等の影響による固まりを一部に含む内容物の振り出しについて説明する。
図２に示すように、使用者が指で底部１４を内方に向けて押込み、陥没部１６の上端でほぐし部３０であるカゴ状部材３１の底壁部３４を口筒部１１側に押し上げる（押込み操作）。すると、この押込み操作に連動して全ての柱部３３を撓み変形させることができる。より具体的には、柱部３３ａを容器軸Ｏに近づく内径方向により大きく撓み変形させることができ、また柱部３３ｂを容器軸Ｏから離れる外径方向により大きく撓み変形させることができる。
【００３３】
また使用者が指を離して押込み操作を解除する操作（押込み解除操作）を行うと、この操作に連動して全ての柱部３３の撓みを変形前の元の状態に戻すことができる。このため、使用者が底部１４に対する押込み操作と押込み解除操作を交互に繰り返し行うと、ほぐし部３０であるカゴ状部材３１の各柱部３３に、容器軸Ｏに近づく内径方向及び離れる外径方向、すなわち径方向に撓み変形する動作の繰り返しによる揉み解しを行わせることができる。よって、ほぐし部３０であるカゴ状部材３１の内外において内容物の一部に発生した固まりを揉み解して消滅させ、元の細かい粉体からなる内容物に戻すことができる。このため、上記同様振り出し孔２４を介して内容物をスムーズに振り出すことが可能となる。
【００３４】
特に、撓み変形する方向が互い逆方向となるように構成された柱部３３を、周方向に交互に配置すると共に、容器軸Ｏを挟んで軸対称となる両位置に撓み変形する方向が互いに逆方向に構成された柱部３３を夫々配置したことから、内容物をより効率良く揉み解すことが可能となっている。
【００３５】
図３はほぐし部３０の第２実施例を示す断面図である。
図３に示すほぐし部３０の第２実施例が、上記ほぐし部３０の第１実施例と異なる点は柱部３３の構成にあり、その他の構成及び効果は上記ほぐし部３０の第１実施例同様である。
図３に示すほぐし部３０の第２実施例は、容器軸Ｏを挟んで軸対称となる両位置に配置された一対の柱部３３の撓み方向を、共に容器軸Ｏから離れる外径方向となるように設定したものである。尚、各柱部３３が撓み変形する方向は、周方向に沿って交互に逆方向となるように設定している点は上記ほぐし部３０の第１実施例同様である。
この構成においては、使用者が底部１４に対する押込み操作と押込み解除操作を交互に繰り返し行うことで、特にほぐし部３０内において生じている内容物の固まりを効率良く揉み解すことが可能となる。
【００３６】
図４はほぐし部３０の第３実施例を示す部分断面図である。
図４に示すほぐし部３０の第３実施例が、上記ほぐし部３０の第１及び第２実施例と異なる点も柱部３３の構成にあり、その他の構成及び効果は上記ほぐし部３０の第１及び第２実施例同様である。
図４に示すほぐし部３０の第２実施例では、各柱部３３の下端が断面視略Ｊ字状に屈曲形成されており、各柱部３３の最下端部３３ｃから容器軸Ｏ方向に折り返した各折り返し部３３ｄが形成されている。これら複数の折り返し部３３ｄは陥没部１６を包囲する囲繞部３５を構成しており、この囲繞部３５を構成する各折り返し部３３ｄが集結した中央の位置に底壁部３４が設けられている。尚、各柱部３３が撓み変形する方向は上記第１及び第２実施例同様である。
【００３７】
上記構成から成るほぐし部３０を容器本体１０内にセットすると、容器本体１０側の陥没部１６の上端が、複数の折り返し部３３ｄから成る囲繞部３５によって包囲された状態においてほぐし部３０の底壁部３４に当接し、ほぐし部３０を容器本体１０の内方に向けて押圧することになる。よって、押込み操作及び押込み解除操作を交互に繰り返して行っても、操作中に陥没部１６が囲繞部３５内から脱離してしまうことを防止することができ、結果として押込み操作及び押込み解除操作を安定的に行うことが可能である。
【００３８】
以上、実施例に沿って本発明の構成とその作用効果について説明したが、本発明の実施の形態は上記実施例に限定されるものではない。
例えば、ほぐし部３０であるカゴ状部材３１を構成する柱部３３の本数は特に限定されるものではなく、例えば６本の柱部３３が平面視六角形状に配置される構成などのように、内径方向に撓み変形可能な柱部３３ａと外径方向に撓み変形可能な柱部３３ｂをその配置に合わせ、必要な本数を使用して構成することができる。
【産業上の利用可能性】
【００３９】
本発明の振り出し容器は、固まりやすい内容物を収容する容器の分野における用途展開をさらに広い領域で図ることができる。
【符号の説明】
【００４０】
１    ：  振り出し容器
１０  ：  容器本体
１１  ：  口筒部
１２  ：  肩部
１３  ：  胴部
１４  ：  底部
１５  ：  接地部
１６  ：  陥没部
１７  ：  弾性変形部
１７ａ：  凹凸
２０  ：  キャップ
２１  ：  キャップ本体
２２  ：  側壁部
２３  ：  本体側頂壁部
２４  ：  振り出し孔
２５  ：  蓋体
２６  ：  蓋側頂壁部
２７  ：  周壁
２８  ：  封止筒部
２９  ：  蝶番部
３０  ：  ほぐし部
３１  ：  カゴ状部材
３２  ：  嵌合部
３２ａ：  係止部
３３  ：  柱部
３３ａ：  内径方向に撓み変形した柱部
３３ｂ：  外径方向に撓み変形した柱部
３３ｃ：  最下端部
３３ｄ：  折り返し部
３４  ：  底壁部
３５  ：  囲繞部
Ｏ    ：  容器軸
【図１】
2020019492.tif 000003
【図２】
2020019492.tif 000004
【図３】
2020019492.tif 000005
【図４】
2020019492.tif 000006